(57)【特許請求の範囲】
【請求項１】
樋状のライティングケースと、直管形ＬＥＤランプに通電してライティングケースの開口部に装着するライティングユニットと、を備えた照明システムであって、ライティングユニットは、略帯状の反射板と、該反射板の両端部に装着する直管形ＬＥＤランプ用のソケットと、該ソケット及び隣接する直管形ＬＥＤランプ用のソケットに電源を供給するコネクタと、これらソケット及びコネクタを装着するマウントベースと、で構成され、マウントベースは、ソケットを取付けるソケットベースと、コネクタを取付けるコネクタベースとが間隙を空けて上下に設置され、該間隙で直管形ＬＥＤランプのタイプ別及び給電方式別の配線を行う配線スペースを形成したことを特徴とする直管形ＬＥＤランプ用照明システム。
【請求項２】
前記マウントベースは、帯状板が側面コ字状に屈曲され、前記ライティングユニット側に前記ソケットベースを配すると共に、前記ライティングケース側に前記コネクタベースを備え、前記ソケットベースと前記反射板とを貫通してライティングケースに係止するクリップ体を設け、該クリップ体にて前記反射板の上面にソケットベースを固定するように構成した請求項１記載の直管形ＬＥＤランプ用照明システム。
【請求項３】
前記コネクタベースの上面に、前記コネクタを上下方向に着脱自在に連結する連結体を設け、隣接する前記直管形ＬＥＤランプ用のコネクタに接続した状態で、前記コネクタから前記マウントベースを取り外し自在に構成した請求項１又は２記載の直管形ＬＥＤランプ用照明システム。
【請求項４】
前記ソケットベースに、前記ソケットを下向きに装着せしめる開口部を形成し、該開口部に装着したソケットを挿通せしめる挿通口を前記反射板の両端部に形成した請求項１記載の直管形ＬＥＤランプ用照明システム。
【請求項５】
前記マウントベースは、直管形ＬＥＤランプ用のＬＥＤドライバを前記ソケットベース上に装着するように構成された請求項２乃至４いずれか記載の直管形ＬＥＤランプ用照明システム。
【請求項６】
前記マウントベースにおいて、前記ソケットベースと前記コネクタベースとの間に、直管形ＬＥＤランプ用のキャノピースイッチを装着した請求項２乃至５いずれか記載の直管形ＬＥＤランプ用照明システム。
【請求項７】
前記クリップ体は、前記ライティングケースの開口フランジに係止する帯状の係止片と、前記反射板の下面を貫通し、反射板上面の係止片に連結された連結ボルトとで構成され、該連結ボルトの頭部に、係止片の長手両端部の方向を示すスリ割りが形成された請求項２記載の直管形ＬＥＤランプ用照明システム。
【発明の詳細な説明】
【技術分野】
【０００１】
本発明は、直管形ＬＥＤランプを合理的に連設することができる直管形ＬＥＤランプ用照明システムに関するものである。
【背景技術】
【０００２】
従来、駅舎、工場、地下駐車場等に直管形の蛍光灯を取り付ける場合、レースウェイや金属ダクトに蛍光灯器具を装着し、この器具に蛍光灯を取り付けている。この蛍光灯器具を装着するには、レースウェイ等に電線を通線し、蛍光灯器具を取り付けた後に、電線を引き込んで端子台に接続し、反射板を装着した後に、蛍光管を取り付けるといった手間のかかる作業が行われていた。
【０００３】
そこで、当出願人は、特許文献１や特許文献２に記載のごとく、複数の蛍光灯器具を連設する際に合理的な装着を可能にした連用蛍光灯システムを先に提案している。特許文献１では、ソケットに接続端子と送り端子を着脱自在に装着することで、蛍光灯器具の装着を容易にしたものである。また、特許文献２では、ソケットの構造を改良したもので、ソケットの両面に蛍光管を同時に連結することができる両面ソケットを備えることで、合理的な装着を可能にしている。
【先行技術文献】
【特許文献】
【０００４】
【特許文献１】特公平７−１０７８０１号公報
【特許文献２】特許第２７０６８５６号公報
【発明の概要】
【発明が解決しようとする課題】
【０００５】
一方、エコロジーを謳い文句として開発された「直管蛍光ランプ形ＬＥＤランプ」が提供されている。この「直管蛍光ランプ形ＬＥＤランプ」には、既設の蛍光灯照明器具のランプ代替を目的として、従来の蛍光ランプと口金形状、長さなど構造的に互換性を持たせたさまざまな仕様の「直管蛍光ランプ形ＬＥＤランプ」が販売されていた。ところが、この「直管蛍光ランプ形ＬＥＤランプ」は、元々の照明器具の適合ランプではないので、既設の蛍光灯照明器具と「直管蛍光ランプ形ＬＥＤランプ」との組み合わせは、安全性の問題があり推奨されるものではなかった。そのため、日本電球工業会規格において、Ｌ形ピン口金ＧＸ１６ｔ‐５付の直管形ＬＥＤランプが規定された。すなわち、この直管形ＬＥＤランプは、蛍光管と異なり、安定器や点灯手段の変わりに専用の制御装置（ＬＥＤドライバ）が必要になる。
【０００６】
このような経緯から、現在、「直管蛍光ランプ形ＬＥＤランプ」の仕様は、次の３つのタイプが提供されている。第１に、ＤＣ電源内蔵の商用電源直結形、第２に、ＤＣ電源非内蔵の新設ＤＣ入力形、第３に、ＤＣ電源内蔵の既設安定器接続形の３タイプである。しかも、第１と第２のタイプには、それぞれ両口金ピン両端給電方式と片側口金ピン間給電方式とがある。
【０００７】
この結果、「直管蛍光ランプ形ＬＥＤランプ」を新設の連用システムに装着するには、ＤＣ電源内蔵の商用電源直結形タイプの両口金ピン両端給電方式と片側口金ピン間給電方式、及びＤＣ電源非内蔵の新設ＤＣ入力形タイプの両口金ピン両端給電方式と片側口金ピン間給電方式との４種類に適合したシステムに構成する必要があった。このため、これらのタイプや方式が異なっていても「直管蛍光ランプ形ＬＥＤランプ」を連設することができる合理的な照明システムが望まれている。
【０００８】
そこで、本発明は、特許文献１や特許文献２の連用蛍光灯システムの構造を見直し、タイプが異なる「直管蛍光ランプ形ＬＥＤランプ（以下、直管形ＬＥＤランプと称する）」を合理的に装着することができる直管形ＬＥＤランプ用照明システムの提供を目的とするものである。
【課題を解決するための手段】
【０００９】
上述の目的を達成すべく本発明における第１の手段は、樋状のライティングケース１０と、直管形ＬＥＤランプＰに通電してライティングケースの開口部に装着するライティングユニット２０と、を備えた照明システムであって、ライティングユニット２０は、略帯状の反射板２１と、該反射板２１の両端部に装着する直管形ＬＥＤランプＰ用のソケット２２と、該ソケット２２及び隣接する直管形ＬＥＤランプＰ用のソケット２２に電源を供給するコネクタ２３と、これらソケット２２及びコネクタ２３を装着するマウントベース２４と、で構成され、マウントベース２４は、ソケット２２を取付けるソケットベース２５と、コネクタ２３を取付けるコネクタベース２６とが間隙を空けて上下に設置されており、該間隙で直管形ＬＥＤランプＰのタイプ別及び給電方式別の配線を行う配線スペースを形成したことにある。
【００１０】
第２の手段において、前記マウントベース２４は、帯状板が側面コ字状に屈曲され、前記ライティングユニット２０側に前記ソケットベース２５を配すると共に、前記ライティングケース１０側に前記コネクタベース２６を備え、前記ソケットベース２５と前記反射板２１とを貫通してライティングケース１０に係止するクリップ体３０を設け、該クリップ体３０にて前記反射板２１の上面にソケットベース２５を固定するように構成したものである。
【００１１】
第３の手段は、前記コネクタベース２６の上面に、前記コネクタ２３を上下方向に着脱自在に連結する連結体２７を設け、隣接する前記直管形ＬＥＤランプＰ用のコネクタ２３に接続した状態で、前記コネクタ２３から前記マウントベース２４を取り外し自在に構成している。
【００１２】
第４の手段は、前記ソケットベース２５に、前記ソケット２２を下向きに装着せしめる開口部２８を形成し、該開口部２８に装着したソケット２２を挿通せしめる挿通口２１Ａを前記反射板２１の両端部に形成したものである。
【００１３】
第５の手段において、前記マウントベース２４は、直管形ＬＥＤランプＰ用のＬＥＤドライバＱを前記ソケットベース２５上に装着するように構成されたものである。
【００１４】
第６の手段は、前記マウントベース２４の前記ソケットベース２５と前記コネクタベース２６との間に、直管形ＬＥＤランプＰ用のキャノピースイッチ２９を装着したことにある。
【００１５】
第７の手段は、前記クリップ体３０は、前記ライティングケース１０の開口フランジ１１に係止する帯状の係止片３２と、前記反射板２１の下面を貫通し、反射板２１上面の係止片に連結された連結ボルト３１とで構成され、該連結ボルト３１の頭部に、係止片の長手両端部の方向を示すスリ割り３１Ａが形成されたものとする。
【発明の効果】
【００１６】
本発明の請求項１のごとく、マウントベース２４は、ソケット２２を取付けるソケットベース２５と、コネクタ２３を取付けるコネクタベース２６とを備え、これらソケットベース２５からコネクタベース２６までに間隙を設け、該間隙で各種ＬＥＤドライバの二次側電線をソケット２２に連結するスペースを形成したことにより、タイプが異なる直管形ＬＥＤランプＰを装着することができる。特に、ソケットベース２５とコネクタベース２６とを離れた状態に設けることで、直管形ＬＥＤランプＰのタイプや給電方式が異なっていても合理的に接続することができるものである。
【００１７】
請求項２のごとく、マウントベース２４は、帯状板が側面コ字状に屈曲され、ソケットベース２５と反射板２１とを貫通してライティングケース１０に係止するクリップ体３０にて反射板２１の上面にソケットベース２５を固定するように構成したことにより、反射板２１に装着したマウントベース２４が立体化して配線スペースに余裕が生じると共に、マウントベース２４の装着を簡略化する効果もある。
【００１８】
請求項３のように、コネクタベース２６の上面に連結体２７を設け、該連結体２７にてコネクタ２３を上下方向に着脱自在に連結し、隣接する直管形ＬＥＤランプＰ用のコネクタ２３に接続した状態で、前記コネクタ２３から前記マウントベース２４を取り外し自在に構成したことにより、スライド引き抜き困難な状況にあるコネクタを連結したまま連結状態のライティングユニット２０を中間から取り外すことができる。したがって、本発明照明システムのメンテナンスが極めて容易になるものである。
【００１９】
請求項４のごとく、ソケットベース２５に、ソケット２２を下向きに装着せしめる開口部２８を形成し、該開口部２８に装着したソケット２２を挿通せしめる挿通口２１Ａを反射板２１の両端部に形成したことで、ソケットベース２５とソケット２２と反射板２１とをコンパクトに一体化することができる。また、反射板２１の下面からはソケット２２のみが突出するので、外観を損ねることはない。
【００２０】
請求項５のように、マウントベース２４は、直管形ＬＥＤランプＰ用のＬＥＤドライバＱを前記ソケットベース２５上に装着するように構成されたことから、ＬＥＤドライバＱを装着する場合でも、ソケット２２やコネクタ２３と共に、マウントベース２４にコンパクトに装着できるので、合理的な装着作業が可能になる。
【００２１】
請求項６のごとく、マウントベース２４の前記ソケットベース２５と前記コネクタベース２６との間に、直管形ＬＥＤランプＰ用のキャノピースイッチ２９を装着したことにより、連設した直管形ＬＥＤランプＰを個々に点灯操作することが可能になる。
【００２２】
請求項７のように、クリップ体３０の連結ボルト３１の頭部に、係止片の長手両端部の方向を示すスリ割り３１Ａを形成したことにより、反射板２１をライティングケース１０に着脱する操作が極めて容易になり、反射板２１の装着状態を確認することもできる。
【図面の簡単な説明】
【００２３】
【図１】本発明の使用状態の一実施例を示す側面図である。
【図２】本発明のライティングケースを外した分解斜視図である。
【図３】本発明のライティングユニットを示す分解斜視図である。
【図４】本発明の反射板とマウントベースの一実施例を示す平面図である。
【図５】本発明のマウントベースからコネクタを外した状態を示す側面図である。
【図６】本発明のクリップ体の実施例を示す平面図である。
【図７】本発明のクリップ体の実施例を示す底面図である。
【図８】本発明のコネクタの実施例を示す正面図である。
【図９】本発明の配線状態の一実施例を示す概略図である。
【図１０】本発明の配線状態の他の実施例を示す概略図である。
【図１１】本発明の配線状態の他の実施例を示す概略図である。
【図１２】本発明の配線状態の他の実施例を示す概略図である。
【図１３】本発明のソケットの他の実施例を示す斜視図である。
【図１４】（イ）、（ロ）は、本発明のマウントベースの他の実施例を示す側面図である。
【図１５】本発明のマウントベースにキャノピースイッチを装着した実施例を示す側面図である。
【発明を実施するための形態】
【００２４】
本発明によると、タイプが異なる直管形ＬＥＤランプを合理的に装着することができるなどといった当初の目的を達成した。
【実施例】
【００２５】
以下、本発明の実施例を説明する。本発明照明システムの基本構成は、ライティングケース１０、ライティングユニット２０、クリップ体３０にて構成されている（図３参照）。
【００２６】
ライティングケース１０は、樋状を成した形状で、天井等に吊り金具４０で吊下げされ、下を向けたライティングケース１０の開口部に、後述するライティングユニット２０を装着するように設けられている（図２参照）。そして、本発明照明システムの設置手順は、ライティングケース１０を長手方向に連設した後に、ライティングユニット２０を順次装着するものである（図１参照）。
【００２７】
ライティングユニット２０は、装着する直管形ＬＥＤランプＰの各タイプ、各通電方式に合わせて通電するユニットで、反射板２１、ソケット２２、コネクタ２３、マウントベース２４を基本構成とする（図３参照）。
【００２８】
反射板２１は、略帯状を成し、ライティングケース１０の開口部を施蓋するように設けられている（図３参照）。そして、反射板２１の長手両端部に装着したソケット２２に直管形ＬＥＤランプＰを連結すると、反射板２１の下面に直管形ＬＥＤランプＰが設置されるものである。
【００２９】
コネクタ２３は、ソケット２２及び隣接する連続用のソケット２２に電源を供給する部材で、ライティングケース１０の内部に沿って連設される（図３参照）。図示のコネクタ２３は下面に連結孔２３Ａを設けており、後述するボルト軸状の連結体２７を差し込むことで、着脱自在に連結するものである（図５参照）。また、このコネクタ２３は、ラインＬ（電圧側電線）、アースＥ（接地線）、ニュートラルＮ（接地側電線）を備えたプラグ２３Ｂと、ソケット２３Ｃとを両端に有し、隣接するコネクタ２３に連続的に接続できるように構成されている（図８参照）。
【００３０】
このコネクタ２３を使用することで、新設用の各タイプの直管形ＬＥＤランプＰを配線することができる。すなわち、新設用の直管形ＬＥＤランプＰとして、ＤＣ電源内蔵の商用電源直結タイプ（両口金ピン両端給電方式と片側口金ピン間給電方式）、及び、ＤＣ電源非内蔵のＤＣ入力タイプ（両口金ピン両端給電方式と片側口金ピン間給電方式）の４種類がある。本発明のコネクタ２３を使用することで、これら全ての直管形ＬＥＤランプＰに配線することが可能になるものである。
【００３１】
マウントベース２４は、直管形ＬＥＤランプＰ用のソケット２２及びコネクタ２３を装着する部材で、ソケットベース２５とコネクタベース２６とで構成されている（図３参照）。図示例では、帯状の金属板が側面略コ字状に屈曲された形状を成している。そして、ライティングユニット２０側にソケットベース２５を配し、このソケットベース２５にソケット２２を装着する。また、ライティングケース１０側にコネクタベース２６を配し、コネクタ２３を着脱自在に装着している。
【００３２】
また、マウントベース２４は、ソケットベース２５からコネクタベース２６までに間隙を設けており、この間隙で各種ＬＥＤドライバＱの二次側電線Ｑ１などをソケット２２に連結する作業スペースを形成している。すなわち、直管形ＬＥＤランプＰのタイプ別により、ＬＥＤドライバＱを使用するものと使用しないタイプがある。また、同じタイプでも、両側給電方式や片側給電方式などがあり、いずれのタイプや給電方式の直管蛍光ランプ形ＬＥＤランプＰが選択されたとしても、同じマウントベース２４上で、コネクタベース２６からソケット２２への配線が容易に接続することができるように構成している。このソケット２２は、直管形ＬＥＤランプＰを支持して通電する部材で、１灯用のソケット２２から２灯用のソケット２２（図１３参照）、あるいは３灯用のソケット２２（図示せず）なども使用することができる。
【００３３】
図１４に示すマウントベース２４は、ＬＥＤドライバＱを装着するドライバ固定片２５Ａを設けたものである。このドライバ固定片２５Ａには、連結長孔２５Ｂを形成し、ＬＥＤドライバＱの取付け作業を容易にしている。同図（イ）は、一般各社のＬＥＤドライバＱを装着するマウントベース２４であり、また、同図（ロ）は、プルスイッチを装着可能にするために、コネクタベース２６から補強片２６Ａを延長した例を示している。このように、マウントベース２４を変更するだけで直管形ＬＥＤランプＰのタイプに対応することができる。尤も、ＬＥＤドライバＱを反射板２１の上に直接装着することも可能である。
【００３４】
更に、マウントベース２４において、コネクタベース２６の上面に連結体２７を設けている。この連結体２７は、コネクタ２３を上下方向に着脱自在に連結する部材である。このように連結することで、コネクタ２３を隣接する直管形ＬＥＤランプＰ用のコネクタ２３に接続した状態で、このコネクタ２３の下面からマウントベース２４を取り外すことが可能になるものである（図５参照）。図示の連結体２７は、２本のボルト軸状を成しており、前述のコネクタ２３の連結孔２３Ａに連結体２７を差し込むことで、ある程度の負荷をかけるまでは連結状態を保持しており、マウントベース２４を強制的に下げるとコネクタ２３から分離するように構成している。
【００３５】
一方、マウントベース２４のソケットベース２５に開口部２８を形成している（図４参照）。この開口部２８は、ソケット２２を下向きに装着せしめるものである。更に、この開口部２８に装着したソケット２２は、反射板２１の両端部に形成した挿通口２１Ａから反射板２１の下方に突出させるように構成している（図３参照）。図示の挿通口２１Ａは、平面略コ字状に切り欠いた形状を成し、ソケット２２を装着したソケットベース２５と重ねるように構成している。更に、挿通口２１Ａの側縁に沿ってソケットベース２５を係止する係止突起２１Ｂを形成し、この係止突起２１Ｂで反射板２１とマウントベース２４との端部を固定する。
【００３６】
更に、マウントベース２４のソケットベース２５とコネクタベース２６との間隙を利用することで、これらの間に、例えば、直管形ＬＥＤランプＰ用のキャノピースイッチ２９を装着することも可能である（図１５参照）。
【００３７】
クリップ体３０は、ライティングユニット２０をライティングケース１０の開口部に連結する部材である（図３参照）。このクリップ体３０は、ソケットベース２５と反射板２１とを貫通してライティングケース１０に係止するように構成されている。更に、このクリップ体３０で、反射板２１の上面にソケットベース２５を固定するものでもある。
【００３８】
図示のクリップ体３０は、連結ボルト３１と係止片３２とで構成している（図６参照）。すなわち、係止片３２は、ライティングケース１０の開口フランジ１１に係止する帯状の部材である。一方、連結ボルト３１は、反射板２１の下面を貫通し、反射板２１上面の係止片３２に連結された部材である（図７参照）。また、連結ボルト３１は角根ボルトを使用して係止片３２と一体化すると共に、この連結ボルト３１の頭部に係止片３２の長手両端部の方向を示すスリ割り３１Ａを形成することで、係止片３２の係脱状態を一目で確認できるようにしている。
【００３９】
図９乃至図１２は、本発明コネクタ２３の配線例を示している。図９は、電源回路内蔵式の商用電源直結タイプで、両口金ピン両端給電方式の直管形ＬＥＤランプＰを使用したときの配線例を示している。この場合、ソケット２３ＣのＬ極から一方のソケット２２へ配線し、プラグ２３ＢのＮ極から他方のソケット２２へ配線する。
【００４０】
図１０は、ＤＣ電源非内蔵のＤＣ入力タイプで、両口金ピン両端給電方式の直管形ＬＥＤランプＰを使用したときの配線例を示している。この場合、ソケット２３ＣのＬ極及びＮ極へ、ＬＥＤドライバＱの電源電線を配線し、接地端子とＥ極を接地線で接続し、ＬＥＤドライバＱの二次側電線Ｑ１を両側のソケット２２へ夫々配線する。
【００４１】
図１１は、電源回路内蔵式の商用電源直結タイプで、片側口金ピン間給電方式の直管形ＬＥＤランプＰを使用したときの配線を示している。この場合、ソケット２３ＣのＬ極及びＮ極から電源供給側のソケット２２へ配線し、相手側のソケット２２へは配線しない。
【００４２】
図１２は、ＤＣ電源非内蔵のＤＣ入力タイプで、片側口金ピン間給電方式の直管形ＬＥＤランプＰを使用したときの配線を示している。この場合、ソケット２３ＣのＬ極及びＮ極へ、ＬＥＤドライバＱの電源電線を配線すると共に、接地端子とＥ極を接地線で接続し、ＬＥＤドライバＱの二次側電線Ｑ１を電源供給側のソケット２２へ配線し、相手側のソケット２２へは配線しない。
【産業上の利用可能性】
【００４３】
本発明照明システムでは、主に、駅舎、工場、地下駐車場等に直管形ＬＥＤランプＰを取り付ける場合を想定した説明になっているが、本発明の利用場所はこの例に限られるものではない。本発明は図示例に限定されるものではなく、本発明の要旨を変更しない範囲での設計変更は自由である。
【符号の説明】
【００４４】
Ｐ  直管形ＬＥＤランプ
Ｑ  ＬＥＤドライバ
Ｑ１  二次側電線
１０  ライティングケース
１１  開口フランジ
２０  ライティングユニット
２１  反射板
２１Ａ  挿通口
２１Ｂ  係止突起
２２  ソケット
２３  コネクタ
２３Ａ  連結孔
２３Ｂ  プラグ
２３Ｃ  ソケット
２４  マウントベース
２５  ソケットベース
２５Ａ  ドライバ固定片
２５Ｂ  連結長孔
２６  コネクタベース
２６Ａ  補強片
２７  連結体
２８  開口部
２９  キャノピースイッチ
３０  クリップ体
３１  連結ボルト
３１Ａ  スリ割り
３２  係止片
４０  吊り金具
【図１】
0005252358.tif 000002
【図２】
0005252358.tif 000003
【図３】
0005252358.tif 000004
【図４】
0005252358.tif 000005
【図５】
0005252358.tif 000006
【図６】
0005252358.tif 000007
【図７】
0005252358.tif 000008
【図８】
0005252358.tif 000009
【図９】
0005252358.tif 000010
【図１０】
0005252358.tif 000011
【図１１】
0005252358.tif 000012
【図１２】
0005252358.tif 000013
【図１３】
0005252358.tif 000014
【図１４】
0005252358.tif 000015
【図１５】
0005252358.tif 000016